(57)【要約】【課題】  メイン基板からピックアップへの変調データの転送の速度と信頼性を高める光ディスク記録装置を提供する。【解決手段】  メイン基板１１２とピックアップ１１３とを有する光ディスク記録装置において、前記メイン基板１１２から前記ピックアップ１１３に転送される変調データ１０７から記録クロック１０８を生成するクロックリカバリ回路１０２と、前記変調データ１０７と前記記録クロック１０８とから記録タイミング１０９を生成するライトストラテジ１０３とを備え、変調データと分周記録クロックとの間のスキューがなくなるようにした。【選択図】  図１
2005216356.tif 000002
【特許請求の範囲】
【請求項１】
メイン基板とピックアップとを有する光ディスク記録装置において、
前記メイン基板から前記ピックアップに転送される変調データから記録クロックを生成するクロックリカバリ部と、
前記変調データと前記記録クロックとから記録タイミングを生成するライトストラテジとを備えた、
ことを特徴とする光ディスク記録装置。
【請求項２】
請求項１記載の光ディスク記録装置において、
前記クロックリカバリ部をロックさせるためのダミーデータを生成するダミーデータ生成部と、
前記変調データもしくは前記ダミーデータを選択する選択部とを備え、
前記メイン基板から前記ピックアップに変調データを転送しないときには、前記ダミーデータを転送する、
ことを特徴とする光ディスク記録装置。
【請求項３】
請求項１記載の光ディスク記録装置において、
前記メイン基板内に設けられた、前記変調データからパリティを生成するパリティ生成部と、
前記ピックアップ内に設けられた、前記変調データからパリティを生成するパリティ生成部と、
前記メイン基板内のパリティ生成部の出力と、前記ピックアップ内のパリティ生成部の出力を比較する比較部とを備えた、
ことを特徴とする光ディスク記録装置。
【発明の詳細な説明】
【技術分野】
【０００１】
本発明は、ＣＤ−Ｒ、ＣＤ−ＲＷ、記録型ＤＶＤなどのような、光ディスク記録装置に関する。
【背景技術】
【０００２】
〈産業界の動向〉
光ディスク記録装置市場では、年々記録の高速化が進んでおり、記録の高速化に伴って、メイン基板からピックアップへのデータ転送の速度および信頼性が問題となってくる（例えば特許文献１）。
【０００３】
〈従来例の構成〉
以下、従来の光ディスク記録装置について説明する。
図２は、従来の光ディスク記録装置の構成を示すブロック図である。
図２において、２００はバッファ、２０１は変調部、２０２は逓倍ＰＬＬ、２０３はライトストラテジ、２０４はＤＡコンバータ、２０５はレーザドライバ、２１３はメイン基板であり、バッファ２００および変調部２０１を有する。また、２１４はピックアップであり、逓倍ＰＬＬ２０２，ライトストラテジ２０３，ＤＡコンバータ２０４，レーザドライバ２０５を有する。なお、バッファ２００前段の回路は図示を省略している。
【０００４】
以下に、図２の従来の光ディスク装置の記録動作を説明する。
まず、記録データ２０６がバッファ２００から変調部２０１へ転送される。変調部２０１では、記録データ２０６が変調データ２０７に変調される。
【０００５】
次に、分周記録クロック２０８が変調部２０１から逓倍ＰＬＬ２０２へ転送され、分周される前の記録クロックに同期した変調データ２０７が、変調部２０１からライトストラテジ２０３へ転送される。逓倍ＰＬＬ２０２では、分周記録クロック２０８から記録クロック２０９が生成され、ライトストラテジ２０３へ入力される。ライトストラテジ２０３では、記録クロック２０９と変調データ２０７とから、記録時のレーザパワーを制御する記録タイミング２１０が生成される。
【０００６】
次に、記録タイミング２１０がライトストラテジ２０３からＤＡコンバータ２０４へ転送される。ＤＡコンバータ２０４では、記録タイミング２１０がレーザ記録波形のパワーに対応した電流値をもつ電流２１１に変換される。
【０００７】
最後に、電流２１１はＤＡコンバータ２０４からレーザドライバ２０５に入力され、レーザドライバ２０５から電流２１１に応じたレーザビーム２１２が出力される。
【特許文献１】特開２００２−３４４２９３号公報
【発明の開示】
【発明が解決しようとする課題】
【０００８】
しかしながら、上記従来の光ディスク記録装置には、以下に述べるような課題があった。
すなわち、光ディスク記録装置の記録速度が、メイン基板からピックアップへの分周記録クロックおよび変調データの転送速度によって制限され、かつ、前記転送速度が分周記録クロックと変調データの間のスキューによって制限される、という課題である。
【０００９】
例えば、変調ビットレート１ＧＨｚ、最短マーク／スペース長が２変調ビット、記録クロックが４分周されてメイン基板からピックアップへ転送されるような光ディスク記録装置を考えると、メイン基板からピックアップへ転送される分周記録クロックおよび変調データの波形の周波数は最高２５０ＭＨｚ、時間では４ｎｓとなる。すなわち、メイン基板からピックアップへの転送による分周記録クロックおよび変調データの間のスキューは４ｎｓ未満に抑える必要がある。メイン基板とピックアップとの接続がフレキシブル基板によっておこなわれ、一部の光ディスク記録装置においてはそのフレキシブル基板の長さが約３０ｃｍにも及ぶこと、および動作速度のマージンを考慮すると、４ｎｓのマージンは非常に実現困難な条件である。
【００１０】
本発明は、上記のような従来の問題点を解決することを目的としてなされたもので、メイン基板からピックアップへのデータの転送速度及び信頼性を高めることが可能な光ディスク記録装置を提供することを目的とする。
【課題を解決するための手段】
【００１１】
上記課題を解決するために、本発明の請求項１による光ディスク記録装置は、メイン基板とピックアップとを有する光ディスク記録装置において、前記メイン基板から前記ピックアップに転送される変調データから記録クロックを生成するクロックリカバリ部と、前記変調データと前記記録クロックとから記録タイミングを生成するライトストラテジとを備えたものである。
【００１２】
本発明の請求項２による光ディスク記録装置は、請求項１記載の光ディスク記録装置において、前記クロックリカバリ部をロックさせるためのダミーデータを生成するダミーデータ生成部と、前記変調データもしくは前記ダミーデータを選択する選択部とを備え、前記メイン基板から前記ピックアップに変調データを転送しないときには、前記ダミーデータを転送するようにしたものである。
【００１３】
本発明の請求項３による光ディスク記録装置は、前記メイン基板内に設けられた、前記変調データからパリティを生成するパリティ生成部と、前記ピックアップ内に設けられた、前記変調データからパリティを生成するパリティ生成部と、前記メイン基板内のパリティ生成部の出力と、前記ピックアップ内のパリティ生成部の出力を比較する比較部とを備えたものである。
【発明の効果】
【００１４】
本発明の請求項１に係る光ディスク記録装置によれば、記録クロックをピックアップ側のクロックリカバリ部で生成することにより、スキューの発生要因をなくするようにしたので、光ディスク記録装置のメイン基板からピックアップへのデータの転送速度および信頼性を高めることができる。
【００１５】
また、本発明の請求項２に係る光ディスク記録装置によれば、記録データが無い場合もクロックリカバリ部をロックし続けて、任意の記録開始タイミングで記録を開始することができる。
【００１６】
また、本発明の請求項３に係る光ディスク記録装置によれば、メイン基板内とピックアップ内とでパリティをチェックすることによって、メイン基板からピックアップへのデータの転送中に変調データに生じた誤りを検出することができる。
【発明を実施するための最良の形態】
【００１７】
以下、本発明の実施の形態について、図面を参照しながら説明する。
（実施の形態１）
図１は、本発明の実施の形態１における光ディスク記録装置の構成を示すブロック図である。
【００１８】
図１において、１００はバッファ、１０１は変調部、１０２はクロックリカバリ回路（クロックリカバリ部）、１０３はライトストラテジ、１０４はＤＡコンバータ、１０５はレーザドライバ、１１２はメイン基板であり、バッファ１００および変調部１０１を有する。また、１１３はピックアップであり、クロックリカバリ回路１０２，ライトストラテジ１０３，ＤＡコンバータ１０４，レーザドライバ１０５を有する。なお、バッファ１００前段の回路は図示を省略している。
【００１９】
以下、図１の本実施の形態１による光ディスク記録装置の記録動作を説明する。
まず、記録データ１０６がバッファ１００から変調部１０１へ転送される。変調部１０１では、記録データ１０６が変調データ１０７に変調される。次に、変調データ１０７が変調部１０１からクロックリカバリ回路１０２およびライトストラテジ１０３へ転送される。クロックリカバリ回路１０２では、変調データ１０７から記録クロック１０８が生成され、ライトストラテジ１０３へ入力される。ライトストラテジ１０３では、記録クロック１０６と変調データ１０７とから、記録時のレーザパワーを制御する記録タイミング１０９が生成される。次に、記録タイミング１０９がライトストラテジ１０３からＤＡコンバータ１０４へ転送される。ＤＡコンバータ１０４では、記録タイミング１０９がレーザ記録波形のパワーに対応した電流値をもつ電流１１０に変換される。最後に、電流１１０はＤＡコンバータ１０４からレーザドライバ１０５に入力され、レーザドライバ１０５から電流１１１に応じたレーザビーム１１１が出力される。
【００２０】
以上のように、本実施の形態１によれば、メイン基板１１２からピックアップ１１３に転送される変調データ１０７から記録クロック１０８を生成するクロックリカバリ部１０２と、前記変調データ１０７と前記記録クロック１０８とから記録タイミング１０９を生成するライトストラテジ１０３とを備え、変調データ１０７から記録クロック１０８を生成することにより、従来の光ディスク装置で高速記録の課題となっていた変調データと分周記録クロックの間のスキューがなくなるため、高速記録に対応する光ディスク記録装置を実現することが可能となる。
【００２１】
（実施の形態２）
図３は、本発明の実施の形態２における光ディスク記録装置の構成を示すブロック図である。
【００２２】
図３において、３００はバッファ、３０１は変調部、３０２はクロックリカバリ回路、３０３はライトストラテジ、３０４はＤＡコンバータ、３０５はレーザドライバ、３０６はダミーデータ生成部、３０７はセレクタ、３１６はメイン基板であり、バッファ３００，変調部３０１，ダミーデータ生成部３０６，セレクタ３０７を有する。また、３１７はピックアップであり、クロックリカバリ回路３０２，ライトストラテジ３０３，ＤＡコンバータ３０４，レーザドライバ３０５を有する。なお、バッファ３００前段の回路は図示を省略している。
【００２３】
以下、図３の本実施の形態２による光ディスク記録装置の記録動作を、記録データがある場合とない場合について説明する。
【００２４】
〈記録データがある場合〉
はじめに記録データがある場合の動作について説明する。
まず、記録データ３０８がバッファ３００から変調部３０１へ転送される。変調部３０１では、記録データ３０８が変調データ３０９に変調される。次に、変調データ３０９がセレクタ３０７で選択されて、クロックリカバリ回路３０２およびライトストラテジ３０３へ転送される。クロックリカバリ回路３０２では、変調データ３０９から記録クロック３１２が生成され、ライトストラテジ３０３へ入力される。ライトストラテジ３０３では、記録クロック３１２と変調データ３０９とから、記録時のレーザパワーを制御する記録タイミング３１３が生成される。
【００２５】
次に、記録タイミング３１３がライトストラテジ３０３からＤＡコンバータ３０４へ転送される。ＤＡコンバータ３０４では、記録タイミング３１３がレーザ記録波形のパワーに対応した電流値をもつ電流３１４に変換される。最後に、電流３１４はＤＡコンバータ３０４からレーザドライバ３０５に入力され、レーザドライバ３０５から電流３１４に応じたレーザビーム３１５が出力される。
【００２６】
〈記録データが無い場合〉
次に記録データが無い場合の動作について説明する。
まず、ダミーデータ３１０が、ダミーデータ生成部３０６で生成される。ダミーデータ３１０はセレクタ３０７で選択されて、クロックリカバリ回路３０２およびライトストラテジ３０３へ転送される。クロックリカバリ回路３０２では、ダミーデータ３１０から記録クロック３１２が生成され、ライトストラテジ３０３へ入力される。ライトストラテジ３０３は、変調データ３０９ではなくダミーデータ３１０が入力されてきたことを識別し、記録波形を出力しないか、あるいはＤＡコンバータ３０４やレーザドライバ３０５をディセーブルするなどして、記録パワーでレーザが出力されないようにする。
【００２７】
以上のように、本実施の形態２によれば、クロックリカバリ回路３０２をロックさせるためのダミーデータ３１０を生成するダミーデータ生成部３０６と、前記変調データ３０９もしくは前記ダミーデータ３１０を選択するセレクタ３０７とを備え、メイン基板３１６からピックアップ３１７に変調データ３０９を転送しないときには、変調データ３０９の代わりに、前記ダミーデータ３１０を転送するようにしたので、高速記録に対応する光ディスク記録装置を実現することが可能となるとともに、記録データが無い場合もクロックリカバリ回路（ＰＬＬ）をロックさせつづけて、任意の記録開始タイミングで記録を開始することができ、これによって追記動作等をおこなうことが可能となる。
【００２８】
（実施の形態３）
図４は、本発明の実施の形態３における光ディスク記録装置の構成を示すブロック図である。
図４において、４００はバッファ、４０１は変調部、４０２はクロックリカバリ回路、４０３はライトストラテジ、４０４はＤＡコンバータ、４０５はレーザドライバ、４０８および４０９はパリティ生成部、４１０は比較器、４２０はメイン基板であり、バッファ４００，変調部４０１，パリティ生成部４０９，比較器４１０を有する。また、４２１はピックアップであり、クロックリカバリ回路４０２，ライトストラテジ４０３，パリティ生成部４０８，ＤＡコンバータ４０４，レーザドライバ４０５を有する。なお、バッファ４００前段の回路は図示を省略している。
【００２９】
以下、図４の本実施の形態３による光ディスク記録装置の記録動作を説明する。
まず、メイン基板４２０からバスを介してパリティ生成部４０８、４０９が初期化される。次に、記録データ４１１がバッファ４００から変調部４０１へ転送される。変調部４０１では、記録データ４１１が変調データ４１２に変調される。
【００３０】
次に、変調データ４１２がクロックリカバリ回路４０２，ライトストラテジ４０３，パリティ生成部４０８，パリティ生成部４０９へそれぞれ転送される。クロックリカバリ回路４０２では、変調データ４１２から記録クロック４１３、４１４が生成され、ライトストラテジ４０３およびパリティ生成部４０８へそれぞれ入力される。ライトストラテジ４０３では、記録クロック４１３と変調データ４１２とから、記録時のレーザパワーを制御する記録タイミング４１７が生成される。パリティ生成部４０８では、入力された変調データ４１２から、パリティ４１５が生成される。パリティ生成部４０９では、入力された変調データ４１２から、パリティ４１６が生成される。
【００３１】
次に、記録タイミング４１７がライトストラテジ４０３からＤＡコンバータ４０４へ転送される。ＤＡコンバータ４０４では、記録タイミング４１７がレーザ記録波形のパワーに対応した電流値をもつ電流４１８に変換される。最後に、電流４１８はＤＡコンバータ４０４からレーザドライバ４０５に入力され、レーザドライバ４０５から電流４１８に応じたレーザビーム４１９が出力される。
【００３２】
一方、パリティ生成部４０８で生成されたパリティ４１５と、パリティ生成部４０９で生成されたパリティ４１６は、それぞれ比較器４１０に転送され、比較器４１０の出力結果によって変調部４０１の出力結果が正しくライトストラテジ４０３に転送されたか否かを判断できる。
【００３３】
以上のように、本実施の形態３によれば、前記メイン基板内４２０に設けられた、前記変調データ４１２からパリティ４１６を生成するパリティ生成部４０９と、前記ピックアップ４２１内に設けられた、前記変調データ４１２からパリティ４１５を生成するパリティ生成部４０８と、パリティ生成部４０８からのパリティ４１５とパリティ生成部４０９からのパリティ４１６を比較する比較部４１０とを備えるようにしたので、高速記録に対応する光ディスク記録装置を実現することが可能となるとともに、メイン基板４２０内で変調データ４１２から生成されたパリティ４１６と、ピックアップ４２１内で変調データ４１２から生成されたパリティ４１５とをチェックすることによって、メイン基板４２０からピックアップ４２１への転送中に変調データ４１２に生じた誤りを検出することが可能となる。
【００３４】
なお、パリティ生成部に採用するパリティの種類によっては、誤りを検出するだけでなく、誤りの個数や位置を判定することも可能となる。本実施の形態３ではパリティをチェックするための機能として比較器が採用されているが、誤りの個数や位置を判定して、その後の光ディスク記録装置の動作を決定することも可能である。
【００３５】
また、本実施の形態３ではパリティをチェックするための機能がメイン基板内に備わっているが、ピックアップ内に備わっていてもよい。
また、本実施の形態３ではパリティ生成部４０８および４０９が比較器４１０とハードワイヤーで接続されているが、シリアルインターフェイスやマイコン等のバスによってパリティ生成部の内容を読み取るような構成や、メイン基板で生成したパリティをあらかじめピックアップ内のレジスタに設定して、ピックアップ内のパリティ生成部の出力と比較するような構成としてもよい。
【産業上の利用可能性】
【００３６】
本発明の光ディスク記録装置は、メイン基板からピックアップへの転送の速度及び信頼性を高め、また、記録データがない場合にも任意の記録開始タイミングで記録を開始することができ、これにより追記動作等を行うことができる。さらに、メイン基板からピックアップへの転送中に変調データに生じた誤りを検出することができる光ディスク記録装置として有用である。
【図面の簡単な説明】
【００３７】
【図１】本発明の実施の形態１による光ディスク記録装置の構成を示すブロック図である。
【図２】従来の光ディスク記録装置の構成を示すブロック図である。
【図３】本発明の実施の形態２による光ディスク記録装置の構成を示すブロック図である。
【図４】本発明の実施の形態３による光ディスク記録装置の構成を示すブロック図である。
【符号の説明】
【００３８】
１００、２００、３００、４００  バッファ
１０１、２０１、３０１、４０１  変調部
１０２、３０２、４０２  クロックリカバリ回路
２０２  逓倍ＰＬＬ
１０３、２０３、３０３、４０３  ライトストラテジ
１０４、２０４、３０４、４０４  ＤＡコンバータ
１０５、２０５、３０５、４０５  レーザドライバ
１０６、２０６、３０８、４１１  記録データ
１０７、２０７、３０９、４１２  変調データ
３１０  ダミーデータ
１０８、２０９、３１２、４１３、４１４  記録クロック
２０８  分周記録クロック
４１５、４１６  パリティ
１０９、２１０、３１３、４１７  記録タイミング
１１０、２１１、３１４、４１８  電流
１１１、２１２、３１５、４１９  レーザビーム
１１２、２１３、３１６、４２０  メイン基板
１１３、２１４、３１７、４２１  ピックアップ
３０６  ダミーデータ生成部
３０７  セレクタ
４０８、４０９  パリティ生成部
４１０  比較器
【図１】
2005216356.tif 000003
【図２】
2005216356.tif 000004
【図３】
2005216356.tif 000005
【図４】
2005216356.tif 000006